(57)【要約】      （修正有）【課題】マルチタッチと手書き入力が可能な、複数点のタッチ検出機能及び手書き入力機能を備えた抵抗膜式タッチパネルを提供する。【解決手段】案タッチ層１０と検知層３０は、それ等の間にスペーサ層２０を配して、上下に対応して設置し、かつ複数のストリップ状に配列されたタッチループ１１と検知ループ３１を設置し、前記タッチループと検知ループ３１が交差するよう対応して設置する。コントローラ４０を前記タッチループと前記検知ループの両端にそれぞれ接続し、前記タッチループと前記検知ループ両端に電圧を供給し、異なる時間区間でデジタル式駆動とアナログ式駆動をそれぞれ形成し、かつ前記コントローラによりマルチタッチとドラッグ移動を統合して検知することができ、または切換スイッチ４１の選択によりデジタル式駆動またはアナログ式駆動とすることができ、これにより複数点のタッチ検出機能及び手書き入力機能を備えた抵抗膜式タッチパネルを形成する。【選択図】図３
0003150693.tif 000002
【実用新案登録請求の範囲】
【請求項１】
複数点のタッチ検出機能及び手書き入力機能を備えた抵抗膜式タッチパネルであって、タッチ層（１０）、スペーサ層（２０）、検知層（３０）、コントローラ（４０）を含み、
前記タッチ層（１０）に複数のストリップ状に配列されたタッチループ（１１）が設置され、前記タッチループ（１１）は第１タッチ端（１１１）と第２タッチ端（１１２）を備え、かつ前記タッチループ（１１）の両端にそれぞれ導電接触層（６０）が設置され、
前記スペーサ層（２０）は一定の厚みを備え、
前記検知層（３０）は複数のストリップ状に配列された検知ループ（３１）が設置され、前記検知ループ（３１）は第１検知端（３１１）と第２検知端（３１２）を備え、かつ前記検知ループ（３１）の両端に前記導電接触層（６０）が設置され、かつ前記タッチ層（１０）と前記検知層（３０）の複数のストリップ状のタッチループ（１１）間が前記スペーサ層（２０）で隔てられて上下に交差するよう設置され、
前記コントローラ（４０）は前記導電接触層（６０）を介して前記第１タッチ端（１１１）、前記第２タッチ端（１１２）、前記第１検知端（３１１）、前記第２検知端（３１２）とそれぞれ接続され、かつ前記コントローラ（４０）は交互に連続したデジタル電圧ＶＤ１、ＶＤ２、ＶＤ３とアナログ電圧ＶＡを生成し、前記デジタル電圧ＶＤ１、ＶＤ２、ＶＤ３は前記導電接触層（６０）を介して前記第１タッチ端（１１１）と前記第１検知端（３１１）に入力され、前記タッチループ（１１）と前記検知ループ（３１）がショートすると、前記コントローラ（４０）により前記タッチループ（１１）と前記検知ループ（３１）のショートした位置を知ることができ、前記アナログ電圧ＶＡも前記導電接触層（６０）を介して前記第１タッチ端（１１１）に入力され、前記タッチループ（１１）と前記検知ループ（３１）がショートすると、前記コントローラ（４０）により前記第２タッチ端（１１２）、前記第１検知端（３１１）、前記第２検知端（３１２）の分圧を検出し、前記タッチループ（１１）と前記検知ループ（３１）のショートした位置を演算で取得することができることを特徴とする、複数点のタッチ検出機能及び手書き入力機能を備えた抵抗膜式タッチパネル。
【請求項２】
前記タッチループ（１１）と前記検知ループ（３１）がそれぞれ複数本設けられ、かつそれぞれ前記第１タッチ端（１１１）、前記第２タッチ端（１１２）と前記第１検知端（３１１）、前記第２検知端（３１２）を備え、前記複数の第１タッチ端（１１１）に同じ前記アナログ電圧ＶＡが同時入力され、前記複数の第１、第２タッチ端（１１１、１１２）と前記複数の第１、第２検知端（３１１、３１２）を等電位とさせることを特徴とする、請求項１に記載の複数点のタッチ検出機能及び手書き入力機能を備えた抵抗膜式タッチパネル。
【請求項３】
前記複数の第１タッチ端（１１１）、前記複数の第２タッチ端（１１２）、前記複数の第１検知端（３１１）、前記複数の第２検知端（３１２）が複数のトランジスタ（５０）にそれぞれ接続され、前記トランジスタ（５０）と前記コントローラ（４０）が接続され、かつ前記コントローラ（４０）が前記アナログ電圧ＶＡを生成するとき、前記トランジスタ（５０）の導通を制御し、かつ前記コントローラ（４０）にさらに切換スイッチ（４１）が接続され、前記切換スイッチ（４１）は手動方式で前記コントローラ（４０）の動作モードを切り換えることができ、デジタル電圧ＶＤ１、ＶＤ２、ＶＤ３とアナログ電圧ＶＡのいずれかを単純に前記コントローラ（４０）に出力させることを特徴とする、請求項２に記載の複数点のタッチ検出機能及び手書き入力機能を備えた抵抗膜式タッチパネル。
【考案の詳細な説明】
【技術分野】
【０００１】
本考案はタッチパネルに関し、特に、ドラッグ移動曲線検知機能を備えた、抵抗膜式タッチパネルに関する。
【背景技術】
【０００２】
図１に示すように、デジタル式の抵抗膜式タッチパネルは、スペーサ１Ａで間を隔てられた２つの薄膜２Ａ、３Ａ上に、Ｘ軸方向とＹ軸方向の電極線４、５がそれぞれ設置され、同時にコントローラ６Ａを介して該Ｘ軸方向とＹ軸方向の電極線４、５の両端がそれぞれ連結され、これにより押圧で該２つの薄膜２Ａ、３Ａを接触させると前記Ｘ軸方向とＹ軸方向の２本の電極線４、５をショートさせることができ、前記コントローラ６Ａの検出により前記２つの薄膜２Ａ、３Ａが押圧された位置を知ることができる。
【０００３】
図２に四線のアナログ式の抵抗膜式タッチパネルを示す。スペーサ１Ｂに間を隔てられ、かつ上下に対応する２つの薄膜２Ｂ、３Ｂを備え、該２つの薄膜２Ｂ、３Ｂはそれぞれ導電層７、８がめっきで形成され、かつ該導電層７、８の端部に導電接触層９が設置され、該上下に対応する２つの導電層７、８は異なる方向の両端の該導電接触層９箇所がそれぞれコントローラ６Ｂと接続され、該コントローラ６Ｂが電圧を供給して該薄膜２Ｂの一端に入力し、押圧により前記２つの薄膜２Ｂ、３Ｂが接触すると、前記コントローラ６Ｂが該薄膜２Ｂ、３Ｂその他３つの端部の分圧を測定することにより、前記２つの薄膜２Ｂ、３Ｂが押圧された位置を算出することができる。
【０００４】
上述のような抵抗膜式タッチパネルのうち、デジタル式のものはマルチタッチ（複数点のタッチ検出）式とすることができるが、ドラッグ移動の曲線を検出して得ることはできず、また手書き入力もできない。アナログ方式は、ドラッグ移動の曲線を検出して得ることはできるものの、マルチタッチ式とすることはできないため、使用者はどちらか１つを選択するしかない。
【考案の概要】
【考案が解決しようとする課題】
【０００５】
本考案の主な目的は、マルチタッチと手書き入力が可能な、複数点のタッチ検出機能及び手書き入力機能を備えた抵抗膜式タッチパネルを提供することにある。
【課題を解決するための手段】
【０００６】
以上から分かるように、上述の目的を達するため、本考案はタッチ層、スペーサ層、検知層、コントローラを含み、そのうち、前記タッチ層と前記検知層は間を前記スペーサ層により隔てられて上下に対応して設置され、かつ複数のストリップ状に配列されたタッチループと検知ループが交差するようそれぞれ対応して設置され、前記コントローラは前記タッチループと前記検知ループの両端にそれぞれ連結され、該コントローラが前記タッチループと前記検知ループ両端に供給する電圧を制御し、異なる時間区間でデジタル式駆動とアナログ式駆動をそれぞれ形成し、かつ前記コントローラによりマルチタッチとドラッグ移動を統合して検知することができ、または切換スイッチによりデジタル式駆動とアナログ式駆動を選択することができ、これにより複数点のタッチ検出機能及び手書き入力機能を備えた抵抗膜式タッチパネルが形成される。
【図面の簡単な説明】
【０００７】
【図１】従来のデジタル式抵抗膜式タッチパネルの抵抗膜の構造を示す立体斜視図である。
【図２】従来のアナログ式抵抗膜式タッチパネルの抵抗膜の構造を示す立体斜視図である。
【図３】本考案の構造を示す立体斜視図である。
【図４】本考案のコントローラのデジタル式駆動実行時を示す平面図である。
【図５】本考案のコントローラのアナログ式駆動実行時を示す平面図である。
【図６】本考案の別の実施例の構造を示す平面図である。
【考案を実施するための形態】
【０００８】
以下、最良の実施例を図面に基づき説明する。
【０００９】
図３に示すように、本考案はタッチ層１０、スペーサ層２０、検知層３０、コントローラ４０を含み、そのうち、前記タッチ層１０には複数のストリップ状に配列されたタッチループ１１が設置され、該タッチループ１１は第１タッチ端１１１と第２タッチ端１１２を備え、かつ前記タッチループ１１の両端に導電接触層６０がそれぞれ設けられ、該導電接触層６０は低抵抗の材質とする。前記検知層３０にも複数のストリップ状に配列された検知ループ３１が設置され、該検知ループ３１は第１検知端３１１と第２検知端３１２を備え、かつ前記検知ループ３１の両端にも前記導電接触層６０が設置される。前記スペーサ層２０は一定の厚みを備え、前記タッチ層１０と前記検知層３０の複数のストリップ状のタッチループ１１、検知ループ３１間が該スペーサ層２０に隔てられ、上下に交差するよう設置される。
【００１０】
前記コントローラ４０は導電接触層６０を介してそれぞれ前記第１タッチ端１１１、前記第２タッチ端１１２、前記第１検知端３１１、前記第２検知端３１２と接続される。かつ、該コントローラ４０はデジタル駆動とアナログ駆動の運動モードを自動検出することができる。このほか、該コントローラ４０はまた切換スイッチ４１を接続することができ、該切換スイッチ４１は手動で該コントローラ４０の動作モードを検出し、デジタル駆動とアナログ駆動のいずれかに切り換えることができる。前記タッチループ１１と前記検知ループ３１はそれぞれ複数本を含むことができ、かつ前記第１タッチ端１１１、前記第２タッチ端１１２、前記第１検知端３１１、前記第２検知端３１２をそれぞれ設ける。
【００１１】
図４に示すように、前記タッチ層１０と検知層３０は重ねて設置され、前記コントローラ４０が自動検出を行うとき、本考案は該コントローラ４０にデジタル電圧ＶＤ１、ＶＤ２、ＶＤ３とアナログ電圧ＶＡを連続して交互に生成させ、該デジタル電圧ＶＤ１、ＶＤ２、ＶＤ３の出力時間を例えば０.１秒など極めて短い時間に制御し、該アナログ電圧ＶＡの出力時間も例えば０.１秒など極めて短い時間に制御することができる。そのうち、前記デジタル電圧ＶＤ１、ＶＤ２、ＶＤ３は導電接触層６０を介して前記第１検知端３１１に入力されるため、前記タッチループ１１と前記検知ループ３１がショートする（即ち、タッチパネルが押される）と、圧力の変化が生じ、前記コントローラ４０により前記タッチループ１１と前記検知ループ３１のショートした位置、即ちタッチパネルが押圧された位置を検出して得ることができ、かつマルチタッチを検知することができる。
【００１２】
図５に示すように、前記コントローラ４０が自動検出を行うときは、前記アナログ電圧ＶＡが導電接触層６０を介して前記第１タッチ端１１１に入力される。ここで、前記複数の第１タッチ端１１１に同じアナログ電圧ＶＡが同時に入力され、前記複数の第１、第２タッチ端１１１、１１２と前記複数の第１、第２検知端３１１、３１２が等電位で接続され、４線のアナログ式抵抗膜式タッチパネル構造が形成されることに注意が必要である。これにより、前記タッチループ１１と前記検知ループ３１がショートする（即ち、タッチパネルが押圧される）と、前記コントローラ４０が前記第２タッチ端１１２、前記第１検知端３１１、前記第２検知端３１２の分圧を検出し、演算を経て該タッチループ１１と該検知ループ３１のショート位置、即ちタッチパネルが押圧された位置を知ることができ、かつドラッグ移動を検知することができる。
【００１３】
図６に示すように、本考案はまた前記複数の第１タッチ端１１１、前記複数の第２タッチ端１１２、前記複数の第１検知端３１１、前記複数の第２検知端３１２をそれぞれ複数のトランジスタ５０により接続し、前記トランジスタ５０と前記コントローラ４０を接続して、前記コントローラ４０が前記アナログ電圧ＶＡを生成するとき、前記トランジスタ５０の導通を制御することができ、即ち、前記複数の第１タッチ端１１１、前記複数の第２タッチ端１１２、前記複数の第１検知端３１１、前記複数の第２検知端３１２に４線のアナログ式抵抗膜式タッチパネル構造を形成させることができる。
【００１４】
このほか、前記切換スイッチ４１の選択により、前記コントローラ４０の動作モードは手動方式でデジタル駆動またはアナログ駆動を選択し、単純にデジタル電圧ＶＤ１、ＶＤ２、ＶＤ３またはアナログ電圧ＶＡを出力することができ、これにより抵抗膜式タッチパネルを単純にデジタル駆動またはアナログ駆動とし、マルチタッチまたは手書き入力とすることができる。
【００１５】
上述のように、本考案は時間的に交互にデジタル電圧ＶＤ１、ＶＤ２、ＶＤ３とアナログ電圧ＶＡを提供し、該抵抗膜式タッチパネルを時間で分けてアナログ式、デジタル式で駆動することで、アナログ式とデジタル式の駆動を兼ね備え、即ち、マルチタッチとドラッグ移動を検知することができ、複数点のタッチ検出機能及び手書き入力機能を備えた抵抗膜式タッチパネルを形成する。
【符号の説明】
【００１６】
１０      タッチ層
１１      タッチループ
１１１    第１タッチ端
１１２    第２タッチ端
２０      スペーサ層
３０      検知層
３１      検知ループ
３１１    第１検知端
３１２    第２検知端
４０      コントローラ
４１      切換スイッチ
５０      トランジスタ
６０      導電接触層
ＶＤ１、ＶＤ２、ＶＤ３  デジタル電圧
ＶＡ    アナログ電圧
【図１】
0003150693.tif 000003
【図２】
0003150693.tif 000004
【図３】
0003150693.tif 000005
【図４】
0003150693.tif 000006
【図５】
0003150693.tif 000007
【図６】
0003150693.tif 000008